(57)【要約】【課題】トラフィック収容増加を行うために改善すべき通信リンクを見つけ出す。【解決手段】通信リンクを用いたトラフィックのトラフィック情報に基づいて通信リンクにおける伝送レートの変化に応じた、通信リンクのトラフィック量を算出するトラフィック量算出部１１０と、トラフィック量算出部１１０が算出したトラフィック量に基づいて、改善する通信リンクを特定する通信リンク特定部１２０とを有する。【選択図】図１
2017204817.tif 000002
【特許請求の範囲】
【請求項１】
通信リンクを用いたトラフィックのトラフィック情報に基づいて、前記通信リンクにおける伝送レートの変化に応じた、前記通信リンクのトラフィック量を算出するトラフィック量算出部と、
前記トラフィック量算出部が算出したトラフィック量に基づいて、改善する通信リンクを特定する通信リンク特定部とを有する通信制御装置。
【請求項２】
請求項１に記載の通信制御装置において、
前記トラフィック量算出部は前記伝送レートに応じた通信経路ごとに、前記トラフィック量を算出する通信制御装置。
【請求項３】
請求項１または請求項２に記載の通信制御装置において、
前記通信リンクの品質を示す通信リンク品質情報に基づいて、前記通信リンクにおける伝送レートが変化する変化パターンを生成する変化パターン生成部を有し、
前記トラフィック量算出部は、前記変化パターン生成部が生成した変化パターンに応じた、前記通信リンクのトラフィック量を算出する通信制御装置。
【請求項４】
請求項３に記載の通信制御装置において、
前記通信リンク品質情報に基づいて、前記通信リンクを複数のグループに分類する通信リンク分類部を有し、
前記変化パターン生成部は、前記通信リンク分類部が分類した複数のグループに基づいて、前記変化パターンを生成する通信制御装置。
【請求項５】
請求項３または請求項４に記載の通信制御装置において、
前記トラフィック量算出部は、前記変化パターン生成部が生成した変化パターンの組み合わせに応じた、前記通信リンクのトラフィック量を算出する通信制御装置。
【請求項６】
請求項３から５のいずれか１項に記載の通信制御装置において、
前記通信リンク品質情報は、前記通信リンクにおける光信号レベルと、前記通信リンクにおける無線信号のＳＮＲ（Ｓｉｇｎａｌ−Ｎｏｉｓｅ  Ｒａｔｉｏ）と、前記通信リンクにおける無線信号のＲＳＬ（Ｒｅｃｅｉｖｅｄ  Ｓｉｇｎａｌ  Ｌｅｖｅｌ）と、前記通信リンクにおけるＢＥＲ（Ｂｉｔ  Ｅｒｒｏｒ  Ｒａｔｅ）と、前記通信リンクが使用している変調方式の履歴と、前記通信リンクで使用可能な変調方式と、前記通信リンクの周波数帯との少なくとも１つである通信制御装置。
【請求項７】
請求項１から６のいずれか１項に記載の通信制御装置において、
前記トラフィック情報は、送信元を示す情報と、宛先を示す情報と、優先度と、平均的な通信量と、ピーク時の通信量と、時間帯毎の通信量との少なくとも１つである通信制御装置。
【請求項８】
通信リンクを用いたトラフィックのトラフィック情報に基づいて、前記通信リンクにおける伝送レートの変化に応じた、前記通信リンクのトラフィック量を算出する処理と、
前記算出したトラフィック量に基づいて、改善する通信リンクを特定する処理とを行う通信制御方法。
【請求項９】
コンピュータに、
通信リンクを用いたトラフィックのトラフィック情報に基づいて、前記通信リンクにおける伝送レートの変化に応じた、前記通信リンクのトラフィック量を算出する手順と、
前記算出したトラフィック量に基づいて、改善する通信リンクを特定する手順とを実行させるためのプログラム。
【発明の詳細な説明】
【技術分野】
【０００１】
本発明は、通信制御装置、通信制御方法およびプログラムに関する。
【背景技術】
【０００２】
近年、スマートフォンなどの普及などにより、通信インフラに要求される収容トラフィック量が年々増加している。それに伴い、投資効果の高いインフラ増強が求められている。例えば、ネットワーク増強を効率的に行う方式の検討がなされている（例えば、特許文献１参照。）。
【先行技術文献】
【特許文献】
【０００３】
【特許文献１】特開平１１−６８７５０号公報
【発明の概要】
【発明が解決しようとする課題】
【０００４】
トラフィックの収容効率の改善を実現するためには、通信ネットワークを構成する通信リンクの中から改善対象となる通信リンクを見つける必要がある。通信リンクの改善方法は、通信品質の改善による伝送レートを向上させる方法や、伝送レートの低下リスクを軽減させる方法、通信装置のソフトウェアライセンス追加による伝送レートを向上させる方法等、多岐にわたる。
一般的に、トラフィック収容を増加させるための通信ネットワークの増強設計は、各通信装置のスイッチング容量の増加や、新しく通信リンクを追加するといった設備増強に主眼をおいた手法となっている。そのため、このような手法は、既存の通信リンクの改善を主目的とした通信ネットワーク改善の場合には、必ずしも適していないという問題点がある。
特許文献１に記載された技術も、通信ネットワーク全体の増強であり、すべての通信装置が性能を増強できる前提となっている。そのため、通信ネットワークを構成する通信リンクの状態をもとに通信リンクの性能劣化や性能改善を考慮した通信ネットワークの最適化には対応できないという問題点がある。特に、高い周波数を用いた無線や光を使った通信リンクにおいては、品質劣化によって伝送レートの低下が生じたり、品質改善によって伝送レートが向上したりするといったことが顕著に発生する。そのため、通信リンクの特徴を考慮した通信ネットワークの改善方法が必要となっている。
【０００５】
本発明の目的は、上述した課題を解決する通信制御装置、通信制御方法およびプログラムを提供することである。
【課題を解決するための手段】
【０００６】
本発明の通信制御装置は、
通信リンクを用いたトラフィックのトラフィック情報に基づいて、前記通信リンクにおける伝送レートの変化に応じた、前記通信リンクのトラフィック量を算出するトラフィック量算出部と、
前記トラフィック量算出部が算出したトラフィック量に基づいて、改善する通信リンクを特定する通信リンク特定部とを有する。
また、本発明の通信制御方法は、
通信リンクを用いたトラフィックのトラフィック情報に基づいて、前記通信リンクにおける伝送レートの変化に応じた、前記通信リンクのトラフィック量を算出する処理と、
前記算出したトラフィック量に基づいて、改善する通信リンクを特定する処理とを行う。
また、本発明のプログラムは、
コンピュータに実行させるためのプログラムであって、
通信リンクを用いたトラフィックのトラフィック情報に基づいて、前記通信リンクにおける伝送レートの変化に応じた、前記通信リンクのトラフィック量を算出する手順と、
前記算出したトラフィック量に基づいて、改善する通信リンクを特定する手順とを実行させる。
【発明の効果】
【０００７】
以上説明したように、本発明においては、トラフィック収容増加を行うために改善すべき通信リンクを見つけ出すことができる。
【図面の簡単な説明】
【０００８】
【図１】本発明の通信制御装置の第１の実施の形態を示す図である。
【図２】図１に示した通信制御装置における通信制御方法の一例を説明するためのフローチャートである。
【図３】本発明の通信制御装置の第２の実施の形態を示す図である。
【図４】図３に示した通信制御装置の内部構成の一例を示す図である。
【図５】図３に示した形態における通信制御方法の一例を説明するためのフローチャートである。
【図６】現状および変化パターンＢにおけるパス１の最大流量経路の一例を示す図である。
【図７】変化パターンＡ，Ｃにおけるパス１の最大流量経路の一例を示す図である。
【図８】現状および変化パターンＡ，Ｂ，Ｃにおけるパス２の最大流量経路の一例を示す図である。
【図９】パス１における各通信リンク上のトラフィック量の一例を示す図である。
【図１０】パス２における各通信リンク上のトラフィック量の一例を示す図である。
【図１１】現状および変化パターンＢにおけるパス１の最小コスト経路の一例を示す図である。
【図１２】変化パターンＡ，Ｃにおけるパス１の最小コスト経路の一例を示す図である。
【図１３】パス１における各通信リンク上のトラフィック量の一例を示す図である。
【図１４】本発明の通信制御装置の第４の実施の形態を示す図である。
【図１５】現状および変化パターンＥにおける最小コスト経路の一例を示す図である。
【図１６】変化パターンＤ，Ｆにおける最小コスト経路の一例を示す図である。
【図１７】各通信リンク上のトラフィック量の一例を示す図である。
【発明を実施するための形態】
【０００９】
以下に本発明の実施の形態について図面を参照して説明する。
（第１の実施の形態）
【００１０】
図１は、本発明の通信制御装置の第１の実施の形態を示す図である。
本形態における通信制御装置１００は図１に示すように、トラフィック量算出部１１０と、通信リンク特定部１２０とを有している。なお、図１には、本形態における通信制御装置１００が具備する構成要素のうち、本実施の形態に関わる主要な構成要素の一例を示す。
トラフィック量算出部１１０は、通信リンクを用いたトラフィックのトラフィック情報に基づいて、通信リンクにおける伝送レートの変化に応じた、通信リンクのトラフィック量を算出する。
通信リンク特定部１２０は、トラフィック量算出部１１０が算出したトラフィック量に基づいて、改善する通信リンクを特定する。
【００１１】
以下に、図１に示した通信制御装置１００における通信制御方法について説明する。図２は、図１に示した通信制御装置１００における通信制御方法の一例を説明するためのフローチャートである。
【００１２】
まず、トラフィック量算出部１１０が、通信リンクを用いたトラフィックのトラフィック情報に基づいて、通信リンクにおける伝送レートの変化に応じた、通信リンクのトラフィック量を算出する（ステップＳ１）。すると、通信リンク特定部１２０が、トラフィック量算出部１１０が算出したトラフィック量に基づいて、改善する通信リンクを特定する（ステップＳ２）。
【００１３】
このように、本形態においては、通信制御装置１００が、通信リンクの伝送レートの変化に応じたトラフィック量を、トラフィック情報に基づいて算出し、算出したトラフィック量に基づいて、改善する通信リンクを特定する。そのため、トラフィック収容増加を行うために改善すべき通信リンクを見つけ出すことができる。
（第２の実施の形態）
【００１４】
図３は、本発明の通信制御装置の第２の実施の形態を示す図である。図３に示すように、本形態における通信制御装置１０１は、複数の通信装置２０１〜２０７から構成される通信ネットワークを制御する。また、通信装置２０１と通信装置２０２とは、通信リンク１０１１を介して接続されている。通信装置２０２と通信装置２０３とは、通信リンク１０１２を介して接続されている。通信装置２０３と通信装置２０４とは、通信リンク１０１３を介して接続されている。通信装置２０２と通信装置２０６とは、通信リンク１０１４を介して接続されている。通信装置２０１と通信装置２０７とは、通信リンク１０１５を介して接続されている。通信装置２０７と通信装置２０６とは、通信リンク１０１６を介して接続されている。通信装置２０６と通信装置２０４とは、通信リンク１０１７を介して接続されている。通信装置２０７と通信装置２０５とは、通信リンク１０１８を介して接続されている。なお、通信リンク１０１１〜１０１８それぞれは、有線リンクであっても良いし、無線リンクであっても良いし、光回線であっても良い。
【００１５】
図４は、図３に示した通信制御装置１０１の内部構成の一例を示す図である。図３に示した通信制御装置１０１は図４に示すように、トラフィック量算出部１１１と、通信リンク特定部１２１と、通信リンク分類部１３１と、変化パターン生成部１４１とを有している。なお、図４には、図３に示した通信制御装置１０１が具備する構成要素のうち、本実施の形態に関わる主要な構成要素の一例を示す。
通信リンク分類部１３１は、通信リンク品質情報に基づいて、通信リンク１０１１〜１０１８を複数のグループに分類する。ここで、通信リンク品質情報とは、通信リンク１０１１〜１０１８の品質を示す情報である。
変化パターン生成部１４１は、通信リンク品質情報に基づいて、通信リンク１０１１〜１０１８における伝送レートが変化する変化パターンを生成する。ここで、変化パターン生成部１４１は、通信リンク分類部１３１が分類した複数のグループに基づいて、変化パターンを生成する。
トラフィック量算出部１１１は、通信リンク１０１１〜１０１８を用いたトラフィックのトラフィック情報に基づいて、通信リンク１０１１〜１０１８における伝送レートの変化に応じた、通信リンク１０１１〜１０１８のトラフィック量を算出する。具体的には、トラフィック量算出部１１１は、変化パターン生成部１４１が生成した変化パターンに応じた、通信リンク１０１１〜１０１８のトラフィック量を算出する。ここで、トラフィック量算出部１１１は、通信リンク１０１１〜１０１８のトラフィック量を算出する際、通信リンク１０１１〜１０１８の接続構成を用いる（考慮する）。また、トラフィック量算出部１１１は、変化パターン生成部１４１が生成した変化パターンの組み合わせに応じた、通信リンク１０１１〜１０１８のトラフィック量を算出するものであっても良い。
通信リンク特定部１２１は、トラフィック量算出部１１１が算出したトラフィック量に基づいて、改善する通信リンクを特定する。この特定方法の詳細については後述する。
ここで、通信リンク品質情報は、
・通信リンク１０１１〜１０１８における光信号レベル
・通信リンク１０１１〜１０１８における無線信号のＳＮＲ（Ｓｉｇｎａｌ−Ｎｏｉｓｅ  Ｒａｔｉｏ）
・通信リンク１０１１〜１０１８における無線信号のＲＳＬ（Ｒｅｃｅｉｖｅｄ  Ｓｉｇｎａｌ  Ｌｅｖｅｌ）
・通信リンク１０１１〜１０１８におけるＢＥＲ（Ｂｉｔ  Ｅｒｒｏｒ  Ｒａｔｅ）
・通信リンク１０１１〜１０１８が使用している変調方式の履歴
・通信リンク１０１１〜１０１８で使用可能な変調方式
・通信リンク１０１１〜１０１８の周波数帯
のこれらのうち、少なくとも１つである。また、トラフィック情報は
・送信されるデータの送信元を示す情報
・送信されるデータの宛先を示す情報
・優先度
・平均的な通信量
・ピーク時の通信量
・時間帯毎の通信量
のこれらのうち、少なくとも１つである。
【００１６】
以下に、図３に示した形態における通信制御方法について説明する。図５は、図３に示した形態における通信制御方法の一例を説明するためのフローチャートである。
【００１７】
まず、通信リンク分類部１３１が、通信リンク品質情報に基づいて、通信リンク１０１１〜１０１８を複数のグループに分類する（ステップＳ１１）。通信リンク品質情報は、例えば、リンク情報管理部という記憶部に登録されているものであっても良い。以下、通信リンク品質情報にて、通信リンク１０１１〜１０１８の状態として以下のような状態が示されている場合を具体例として挙げる。
・通信リンク１０１１，１０１２，１０１４，１０１５，１０１７，１０１８の伝送レートは２００Ｍｂｐｓである。
・通信リンク１０１２，１０１４，１０１８は、伝送レートが一時的に１００Ｍｂｐｓに劣化しやすい。
・通信リンク１０１３，１０１６は、現在品質劣化を起こしている通信リンクであり、伝送レートが１００Ｍｂｐｓに留まっている。
続いて、通信リンク分類部１３１は、通信リンク品質情報に基づいて、通信リンク１０１１〜１０１８を以下のような複数のグループに分類する。
・グループ１：通信リンク改善の有無にかかわらず伝送レートが一定である通信リンク（通信リンク１０１１，１０１５，１０１７）
・グループ２：通信リンク改善により、伝送レートの向上が見込める通信リンク（通信リンク１０１３，１０１６）
・グループ３：通信リンク改善なしでは、伝送レート低下が頻繁に起きる通信リンク（通信リンク１０１２，１０１４，１０１８）
【００１８】
続いて、変化パターン生成部１４１は、通信リンク分類部１３１が分類した複数のグループに基づいて、変化パターンを生成する（ステップＳ１２）。このとき、変化パターン生成部１４１は、伝送レートに変化の可能性があるグループ２，３から、変化パターンを以下に示すように生成する。
・変化パターンＡ：グループ２の通信リンクを改善し、伝送レートが向上する
・変化パターンＢ：グループ３の通信リンクが悪化し、伝送レートが低下する
・変化パターンＣ：変化パターンＡと変化パターンＢとの組み合わせ
【００１９】
トラフィック量算出部１１１は、変化パターン生成部１４１が生成した変化パターンに応じた、通信リンク１０１１〜１０１８のトラフィック量を算出する（ステップＳ１３）。ここで、通信装置２０１と通信装置２０４との間にパス１が設定されており、通信装置２０１と通信装置２０５との間にパス２が設定されていている。
【００２０】
図６は、現状および変化パターンＢにおけるパス１の最大流量経路の一例を示す図である。図７は、変化パターンＡ，Ｃにおけるパス１の最大流量経路の一例を示す図である。図８は、現状および変化パターンＡ，Ｂ，Ｃにおけるパス２の最大流量経路の一例を示す図である。パス１は、図６および図７に示すように、変化パターンに応じて通信経路が異なる。また、パス２は、図８に示すように、すべての変化パターンにおいて、同一経路となる。トラフィック量算出部１１１は変化パターンに応じた通信経路ごとに、トラフィック量を算出する。パス１およびパス２の変化パターン毎の最大流量は以下のようになる。
現状：パス１=３００Ｍｂｐｓ、パス２＝２００Ｍｂｐｓ
変化パターンＡ：パス１= ４００Ｍｂｐｓ、パス２＝２００Ｍｂｐｓ
変化パターンＢ：パス１＝３００Ｍｂｐｓ、パス２＝１００Ｍｂｐｓ
変化パターンＣ：パス１＝３００Ｍｂｐｓ、パス２＝１００Ｍｂｐｓ
【００２１】
続いて、通信リンク特定部１２１は、トラフィック量算出部１１１が算出したトラフィック量に基づいて、改善する通信リンクを特定する（ステップＳ１４）。ここで、通信リンク特定部１２１は、トラフィック量算出部１１１が算出したトラフィック量に基づいて、トラフィックの収容の改善に効果がある通信リンクを特定する。具体的には、通信リンク特定部１２１は、変化パターン毎の算出結果に基づいて、通信リンク上のトラフィック量を互いに比較し、判定を行う。
【００２２】
図９は、パス１における各通信リンク上のトラフィック量の一例を示す図である。図１０は、パス２における各通信リンク上のトラフィック量の一例を示す図である。
図９に示すように、パス１において、変化パターンＡで通信リンク１０１３および通信リンク１０１６のトラフィック量がそれぞれ現状の１００Ｍｂｐｓから２００Ｍｂｐｓへ増加する。しかしながら、通信リンク１０１３は、変化パターンＣではトラフィック量が変化しないため、同じ傾向を示す通信リンク１０１２と連動している。また、通信リンク１０１４のトラフィック量は、どの変化パターンにおいても現状の１００Ｍｂｐｓを超えることがない。
同様に、パス２に関しても、図１０に示すように、変化パターンＣにおいて、通信リンク１０１８のトラフィック量が低下する。
【００２３】
続いて、通信リンク特定部１２１は、ステップＳ１４にて特定した結果を用いて、パス１およびパス２の収容トラフィックを向上もしくは維持するための改善案を導出する（ステップＳ１５）。通信リンク特定部１２１は、パス１に関しては、通信リンク１０１２，１０１３，１０１６を改善することを導出する。このとき、通信リンク１０１２と通信リンク１０１３とは、同時に改善が必要である。一方、パス２に関しては、通信リンク特定部１２１は、通信リンク１０１８を改善することを導出する。このように、通信リンク特定部１２１は、ステップＳ１４にて特定した結果を用いて、変化パターンによってトラフィック量が改善する通信リンクに着目し、改善案を導出する。
【００２４】
このように、通信リンク情報から、複数の通信リンクの変化パターンを生成し、トラフィック情報と合わせ、各変化パターンにおけるトラフィック収容変化を調べることで、その結果からトラフィック収容の増加に効果がある通信リンクおよび改善内容を算出する。改善すべき通信リンクが複数ある場合においても、トラフィック収容増加に寄与できる改善リンクを見つけ出せるという効果がある。また、トラフィックの経路も考慮するため、経路を含めた最適化を行うことができる。
（第３の実施の形態）
【００２５】
第２の実施の形態においては、最大流量計算を用いて、各通信リンクにおける収容トラヒックの増減を評価したが、最小コスト経路計算を用いて、パスの経路計算を行うものを第３の実施の形態として説明する。第３の実施の形態においては、ネットワーク構成および通信制御装置の構成は、第２の実施の形態と同様であり、通信制御方法についても、ステップＳ１２までは、第２の実施の形態と同様であるため、その部分についての説明は省略する。
【００２６】
ステップＳ１３にて、トラフィック量算出部１１１は、変化パターン生成部１４１が生成した変化パターンに応じた、通信リンク１０１１〜１０１８のトラフィック量を算出する。このとき、トラフィック量算出部１１１は、パス１において、通信装置２０１から通信装置２０４までの経路のトラフィック量が多く、且つグループ２，３に属する通信リンクをできるだけ避けるようにリンクコストを設定（通常リンクの１０倍に設定）し、最小コスト経路探索を行う。すると、以下に示す結果が得られる。
現状：通信リンク１０１１−１０１４−１０１７の経路で２００Ｍｂｐｓ
変化パターンＡ：通信リンク１０１５−１０１６−１０１７の経路で２００Ｍｂｐｓ
変化パターンＢ：通信リンク１０１１−１０１４−１０１７の経路で１００Ｍｂｐｓ
変化パターンＣ：通信リンク１０１５−１０１６−１０１７の経路で２００Ｍｂｐｓ
【００２７】
図１１は、現状および変化パターンＢにおけるパス１の最小コスト経路の一例を示す図である。図１２は、変化パターンＡ，Ｃにおけるパス１の最小コスト経路の一例を示す図である。図１３は、パス１における各通信リンク上のトラフィック量の一例を示す図である。
ステップＳ１４にて、通信リンク特定部１２１は、トラフィック量算出部１１１が算出したトラフィック量に基づいて、改善する通信リンクを特定する。図１３に示すように、現状と変化パターンＢとでは通信経路が同じだが、通信リンク１０１４のトラフィック量が変化パターンＢで低下している。また、変化パターンＡ，Ｃにおいては、経路そのものが変わり、通信リンク１０１６では向上した伝送レート分のトラフィック量が発生する。
【００２８】
その後、ステップＳ１５にて、通信リンク特定部１２１は、ステップＳ１４にて特定した結果を用いて、パス１の収容トラフィックを向上もしくは維持するための改善案を導出する。改善方法として、通信経路はそのままで、通信リンク１０１４を改善する方法（方法１）と、通信経路を変更し、通信リンク１０１６を改善する方法（方法２）とが候補として導出される。そこで、それぞれの改善方法を比較する。
両者の改善にかかるコストを比較し、通信経路の変更ができない、もしくは通信経路の変更にかかるコストが高い場合は、方法１が選ばれる。一方、通信リンク１０１６を改善する方が通信経路の変更を含めてコストが低い場合は、方法２が選ばれる。
【００２９】
このように、最小コスト経路計算を用いて、パスの経路計算を行う場合であっても、第２の実施の形態と同様の効果が得られる。
（第４の実施の形態）
【００３０】
本発明は、通信リンクの品質改善による伝送レートの向上だけでなく、装置や周波数帯などのライセンス追加による伝送レートが向上できる場合においても同様な手順で改善案を求めることができる。図１４は、本発明の通信制御装置の第４の実施の形態を示す図である。図１４に示すように、本形態における通信制御装置１０１は、複数の通信装置７０１〜７０４から構成される通信ネットワークを制御する。また、通信装置７０１と通信装置７０２とは、通信リンク７１１を介して接続されている。通信装置７０１と通信装置７０３とは、通信リンク７１２を介して接続されている。通信装置７０２と通信装置７０３とは、通信リンク７１３を介して接続されている。通信装置７０３と通信装置７０４とは、通信リンク７１４を介して接続されている。なお、通信リンク７１１〜７１４それぞれは、有線リンクであっても良いし、無線リンクであっても良いし、光回線であっても良い。
通信リンク７１１〜７１４それぞれは、伝送レート２００Ｍｂｐｓで通信を行う。高い変調方式を使用可能にするライセンスの追加が可能であれば、伝送レートが３００Ｍｂｐｓまでの増加が可能であり、使用する周波数幅の変更が可能であれば伝送レートが４００Ｍｂｐｓへ増加できるとする。また、両方が可能な通信リンクであれば、最大５００Ｍｂｐｓまで増加できるとする。
このとき、通信制御装置１０１は、通信装置７０１と通信装置７０４との間に設定したパスの収容トラフィックを増加させるために変更するリンクを以下に示すようにして導き出す。各ステップについては、図５に示したものを用いて説明する。
【００３１】
まず、ステップＳ１１にて、通信リンク分類部１３１が、通信リンク品質情報に基づいて、通信リンク７１１〜７１４を以下に示すような複数のグループに分類する
・グループ１：周波数幅の変更が可能（通信リンク７１１，７１３）
・グループ２：変調方式の変更が可能（通信リンク７１２）
・グループ３：周波数、変調方式の両方が可能（通信リンク７１４）
【００３２】
続いて、ステップＳ１２にて、変化パターン生成部１４１は、通信リンク分類部１３１が分類した複数のグループに基づいて、以下に示すような変化パターンを生成する。
・変化パターンＤ：周波数幅を変更
・変化パターンＥ：変調方式を変更
・変化パターンＦ：変化パターンＤと変化パターンＥとの組み合わせ
【００３３】
ステップＳ１３にて、トラフィック量算出部１１１は、変化パターン生成部１４１が生成した変化パターンに応じた、通信リンク７１１〜７１４のトラフィック量を算出する。このとき、トラフィック量算出部１１１は、最大伝送レートが高いほどコストが小さくなるようにコスト設定し、最小コスト経路探索を行う。
現状：通信リンク７１２−７１４の経路で、２００Ｍｂｐｓ
変化パターンＤ：通信リンク７１１−７１３−７１４の経路で、４００Ｍｂｐｓ
変化パターンＥ：通信リンク７１２−７１４の経路で、３００Ｍｂｐｓ
変化パターンＦ：通信リンク７１１−７１３−７１４の経路で、４００Ｍｂｐｓ
【００３４】
図１５は、現状および変化パターンＥにおける最小コスト経路の一例を示す図である。図１６は、変化パターンＤ，Ｆにおける最小コスト経路の一例を示す図である。図１７は、各通信リンク上のトラフィック量の一例を示す図である。
ステップＳ１４にて、通信リンク特定部１２１は、トラフィック量算出部１１１が算出したトラフィック量に基づいて、改善する通信リンクを特定する。つまり、通信リンク特定部１２１は、トラフィック量算出部１１１が算出したトラフィック量に基づいて、トラフィック収容の改善に効果があるリンクを調べる。図１７に示すように、変化パターンＥでは、通信リンク７１２，７１４のトラフィック量が現状から３００Ｍｂｐｓに増加する。また、変化パターンＤ，Ｆでは、経路変更が発生し、通信リンク７１１，７１３が使われることとなり、通信リンク７１１，７１３，７１４のトラフィック量が４００Ｍｂｐｓとなる。また、変化パターンＤ，Ｆで各通信リンクのトラフィック量に違いが無いことがわかる。
【００３５】
その後、ステップＳ１５にて、通信リンク特定部１２１は、ステップＳ１４にて特定した結果を用いて、収容トラフィックを向上もしくは維持するための改善案を導出する。ここで、収容トラフィックが最も増えるのは、通信経路を通信リンク７１１−７１３−７１４へ変更し、通信経路となるリンクの周波数変更を行うことであることがわかる。一方、経路変更が望ましくない場合は、通信リンク７１２，７１４のライセンス追加による変調方式のみの変更となる。
【００３６】
このように、リンク改善による伝送レートの向上だけでなく、装置機能のライセンス追加や使用する無線帯域のライセンス変更などで伝送レートが変化する場合であっても、その変化パターンに基づいて、トラフィック量を算出し、最小コスト経路探索を行う。これにより、第２の実施の形態と同様の効果が得られる。
【００３７】
なお、通信制御装置１０１が上述した処理を行うものであれば、図４に示した構成要素に限らず、どのような構成要素から構成されていても良い。また、通信制御装置１０１に具備された各構成要素が、それぞれ異なる装置に備わっている構成であっても良い。
【００３８】
上述した通信制御装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を通信制御装置１００，１０１それぞれにて読取可能な記録媒体に記録し、この記録媒体に記録されたプログラムを通信制御装置１００，１０１それぞれに読み込ませ、実行するものであっても良い。通信制御装置１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、通信制御装置１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、通信制御装置１００，１０１それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００３９】
上記の実施の形態の一部または全部は、以下の付記のようにも記載され得るが、以下には限られない。
（付記１）通信リンクを用いたトラフィックのトラフィック情報に基づいて、前記通信リンクにおける伝送レートの変化に応じた、前記通信リンクのトラフィック量を算出するトラフィック量算出部と、
前記トラフィック量算出部が算出したトラフィック量に基づいて、改善する通信リンクを特定する通信リンク特定部とを有する通信制御装置。
（付記２）前記トラフィック量算出部は前記伝送レートに応じた通信経路ごとに、前記トラフィック量を算出する、付記１に記載の通信制御装置。
（付記３）前記通信リンクの品質を示す通信リンク品質情報に基づいて、前記通信リンクにおける伝送レートが変化する変化パターンを生成する変化パターン生成部を有し、
前記トラフィック量算出部は、前記変化パターン生成部が生成した変化パターンに応じた、前記通信リンクのトラフィック量を算出する、付記１または付記２に記載の通信制御装置。
（付記４）前記通信リンク品質情報に基づいて、前記通信リンクを複数のグループに分類する通信リンク分類部を有し、
前記変化パターン生成部は、前記通信リンク分類部が分類した複数のグループに基づいて、前記変化パターンを生成する、付記３に記載の通信制御装置。
（付記５）前記トラフィック量算出部は、前記変化パターン生成部が生成した変化パターンの組み合わせに応じた、前記通信リンクのトラフィック量を算出する、付記３または付記４に記載の通信制御装置。
（付記６）前記通信リンク品質情報は、前記通信リンクにおける光信号レベルと、前記通信リンクにおける無線信号のＳＮＲ（Ｓｉｇｎａｌ−Ｎｏｉｓｅ  Ｒａｔｉｏ）と、前記通信リンクにおける無線信号のＲＳＬ（Ｒｅｃｅｉｖｅｄ  Ｓｉｇｎａｌ  Ｌｅｖｅｌ）と、前記通信リンクにおけるＢＥＲ（Ｂｉｔ  Ｅｒｒｏｒ  Ｒａｔｅ）と、前記通信リンクが使用している変調方式の履歴と、前記通信リンクで使用可能な変調方式と、前記通信リンクの周波数帯との少なくとも１つである、付記３から５のいずれか１項に記載の通信制御装置。
（付記７）前記トラフィック情報は、送信元を示す情報と、宛先を示す情報と、優先度と、平均的な通信量と、ピーク時の通信量と、時間帯毎の通信量との少なくとも１つである、付記１から６のいずれか１項に記載の通信制御装置。
（付記８）通信リンクを用いたトラフィックのトラフィック情報に基づいて、前記通信リンクにおける伝送レートの変化に応じた、前記通信リンクのトラフィック量を算出する処理と、
前記算出したトラフィック量に基づいて、改善する通信リンクを特定する処理とを行う通信制御方法。
（付記９）コンピュータに、
通信リンクを用いたトラフィックのトラフィック情報に基づいて、前記通信リンクにおける伝送レートの変化に応じた、前記通信リンクのトラフィック量を算出する手順と、
前記算出したトラフィック量に基づいて、改善する通信リンクを特定する手順とを実行させるためのプログラム。
【符号の説明】
【００４０】
１００，１０１    通信制御装置
１１０，１１１    トラフィック量算出部
１２０，１２１    通信リンク特定部
１３１    通信リンク分類部
１４１    変化パターン生成部
２０１〜２０７，７０１〜７０４    通信装置
７１１〜７１４，１０１１〜１０１８    通信リンク
【図１】
2017204817.tif 000003
【図２】
2017204817.tif 000004
【図３】
2017204817.tif 000005
【図４】
2017204817.tif 000006
【図５】
2017204817.tif 000007
【図６】
2017204817.tif 000008
【図７】
2017204817.tif 000009
【図８】
2017204817.tif 000010
【図９】
2017204817.tif 000011
【図１０】
2017204817.tif 000012
【図１１】
2017204817.tif 000013
【図１２】
2017204817.tif 000014
【図１３】
2017204817.tif 000015
【図１４】
2017204817.tif 000016
【図１５】
2017204817.tif 000017
【図１６】
2017204817.tif 000018
【図１７】
2017204817.tif 000019